(57)【要約】【課題】　撮影した画像がすでにプリント注文済のものであるか否かを管理することができるようにする。【解決手段】　画像ファイル１０が記録される画像データを記録する画像記録媒体１に、画像ファイル１０毎にプリントの受付状況を管理するための受付情報２３を付帯するようにして、画像データのプリントを受け付けるプリント受付装置で、プリントを受け付けた画像ファイル１０の受付情報２３を受付済みの状態に書き換える。【選択図】　　　　　図１
2004145872.tif 000002
【特許請求の範囲】
【請求項１】
　複数の画像ファイルを有する画像データを記録する画像記録媒体において、
　前記画像ファイル毎にプリントの受付状況を管理するための受付情報が付帯可能とされ、
　前記画像データのプリントを受け付けるプリント受付装置により、プリントを受け付けた画像ファイルに付帯する受付情報が受付済みの状態に書き換えられるものであることを特徴とする画像記録媒体。
【請求項２】
　前記画像ファイル毎にプリントを注文するためのプリント注文情報が付帯可能とされていることを特徴とする請求項１記載の画像記録媒体。
【請求項３】
　前記画像データを記録する記録媒体に、顧客に関する顧客情報が記録可能とされていることを特徴とする請求項１または２記載の画像記録媒体。
【請求項４】
　プリントの受付状況を管理するための受付情報が付帯された画像ファイルを、画像データを記録する画像記録媒体から読み取る画像データ読取手段と、
　前記読み取った画像ファイル毎に画像データのプリントを受け付けて、該画像ファイルの受付情報を受付済の状態に書き換える受付手段とを備えたことを特徴とするプリント受付装置。
【請求項５】
　前記読み取った画像ファイルの受付情報から、該画像ファイルがプリントを受付済みであるか否かを確認可能に表示装置に表示する受付状況確認手段をさらに備えたことを特徴とする請求項４記載のプリント受付装置。
【請求項６】
　前記画像ファイルが、プリントを注文するためのプリント注文情報が付帯されているものであることを特徴とする請求項４または５記載のプリント受付装置。
【請求項７】
　前記画像記録媒体が、画像データを記録する記録媒体に、顧客に関する顧客情報を有し、
　前記読み取った画像ファイルの画像データのプリントを受け付けた際、前記顧客情報を読み取る顧客情報読取手段をさらに備えることを特徴とする請求項４から６いずれか１項記載のプリント受付装置。
【発明の詳細な説明】
【技術分野】
【０００１】
　本発明は、画像データを記録する記録媒体、および、その記録媒体から画像データを読み取るプリント受付装置に関するものである。
【背景技術】
【０００２】
　近年、デジタルスチールカメラ（以下、デジタルカメラとする）の普及に伴って撮影画像を電子データとして記録媒体に記録するようになってきた。このような記録媒体に保管できる写真量はフィルムよりはるかに大きいため、プリントのタイミングが定まらなくなってきている。その一方で、顧客側で撮影した画像データをプリントするかしないかを選択する権限が与えられるようになった。
【０００３】
　このような画像データはホームプリントやＩＴツール等に汎用的に利用することが可能であり、そのための規格としてＤＰＯＦ（Digital Print Odor Form）が提唱されている。ＤＰＯＦに準拠して記録されている画像データは、プリント処理の電子化が容易となり、プリント注文する際には、プリント注文する画像データの指定や、プリントする枚数の指定などを画像データ毎に記録媒体に記録することができる。
【０００４】
　また、このようなデジタルカメラで撮影した画像データを記録した記録媒体からプリントするサービスには、所定のファイル規格によって記録された画像ファイルをプリントするときに、その画像データに付与されている情報に含まれる撮影日時情報に基づいて、複数の撮影された画像データを撮影日時順に配列するようにプリントすることができるようにしたものがある（例えば、特許文献１参照）。
【特許文献１】特開２００２−２６２２２２号公報
【発明の開示】
【発明が解決しようとする課題】
【０００５】
　上記のような記録媒体に記録されている画像データを利用するために、顧客がプリント注文する画像データを指定して記録媒体をラボ店に渡すと、ラボ店では指定された画像データだけをプリントし、プリントが終わると顧客に返却するが、顧客に返却された記録媒体には、すでにプリント注文をしたことのある画像データか、一度もプリント注文をしたことがない画像データであるかの記録は残っていない。
【０００６】
　また、記録媒体を使い切らない状態でプリント注文し、注文後もその記録媒体に撮影した画像データを貯めていくと、どれがプリント注文した画像データであるかが分からなくなる。
【０００７】
　本発明は以上のような課題に鑑みて、撮影した画像がすでにプリント注文済のものであるかを容易に管理することができる仕組みを提供することを目的とするものである。
【０００８】
　しかしながら、胸部の解剖学的構造は複雑であり、上記のフィルタリング処理を用いた胸部ＣＡＤ処理では、背景特徴画像を十分に除去することができず、異常陰影の検出性能が向上しないという問題があった。
【０００９】
　本発明は、上記事情に鑑み、異常陰影の検出性能をより向上させることが可能な異常陰影検出方法および装置並びにそのためのプログラムを提供することを目的とするものである。
【課題を解決するための手段】
【００１０】
　本発明の画像記録媒体は、複数の画像ファイルを有する画像データを記録する画像記録媒体において、
　前記画像ファイル毎にプリントの受付状況を管理するための受付情報が付帯可能とされ、
　前記画像データのプリントを受け付けるプリント受付装置により、プリントを受け付けた画像ファイルに付帯する受付情報が受付済みの状態に書き換えられるものであることを特徴とするものである。
【００１１】
　ここで、「画像記録媒体」は、「スマートメディア」（登録商標）、「メモリスティック」（登録商標）、メモリカード等のメモリ型記憶媒体、ＤＶＤ、ＣＤ−ＲＷ等の光記憶媒体等の、デジタルカメラ等で撮影した画像データを記録することが可能な媒体で、ラボ店でプリント注文を行ったり、プリンタ等の印刷装置からのプリントや、パソコン等を使ったホームプリント等に利用することが可能なものである。
【００１２】
　また、「画像データ」は、デジタルカメラで撮影された静止画や動画等で、「画像ファイル」はＥｘｉｆ、ＪＰＥＧ、ＣＡＭ、シフ、Ｍｏｔｉｏｎ　ＪＰＥＧ、ＭＰＥＧ等の様々な形式があり、画像データを記録したファイルである。
【００１３】
　この「プリントの受付」とは、ラボ店等でプリント注文の受付けや、印刷装置やパソコン等を利用してプリントすることである。また、動画等の場合には、１つの纏まったシーン単位に受け付ける場合もある。
【００１４】
　また、「付帯可能」とは、画像データのプリント状況をファイルに付属する情報として管理することを可能とすることである。また、前記画像ファイル毎にプリントを注文するためのプリント注文情報が付帯可能とされているものであってもよい。
【００１５】
　「プリント注文情報」は、各画像ファイルがプリントを注文するか否かが分かるように記録媒体に、例えば、フラグを立てるなどして記録されるものである。
【００１６】
　また、画像データを撮影した、または、記録媒体を所有する顧客等の顧客情報が記録されている方が、後処理のために好ましい。したがって、前記画像データを記録する顧客に関する顧客情報が記録可能とされているものであってもよい。
【００１７】
　また、本発明のプリント受付装置は、プリントの受付状況を管理するための受付情報が付帯された画像ファイルを、画像データを記録する画像記録媒体から読み取る画像データ読取手段と、
　前記読み取った画像ファイル毎に画像データのプリントを受け付けて、該画像ファイルの受付情報を受付済の状態に書き換える受付手段と
を備えたことを特徴とするものである。
【００１８】
　「プリント受付装置」は、画像記録媒体の読取／書込機能を備えたもので、ラボ店等に設置され画像データのプリント注文を行う受付機や、プリンタ等の印刷装置やパソコン等の画像データをプリントすることが可能なものを意味する。
【００１９】
　また、このプリント受付装置は、すでにプリントを受け付け済みのものであるか否かが確認できることが望まれる。そこで、前記読み取った画像ファイルの受付情報から、該画像ファイルがプリントを受付済みであるか否かを確認可能に表示装置に表示する受付状況確認手段をさらに備えることが望ましい。
【００２０】
　また、前記画像ファイルは、プリント注文するためのプリント注文情報が付帯されているものであってもよい。
【００２１】
　さらに、画像データを撮影した、または、記録媒体を所有する顧客情報とともに受け付けるようにした方が、後処理のために好ましい。そこで、前記画像記録媒体は、画像データを記録する顧客に関する顧客情報を有し、
　前記読み取った画像ファイルの画像データのプリントを受け付けた際、前記顧客情報を読み取る顧客情報読取手段をさらに備えるものであってもよい。
【発明の効果】
【００２２】
　本発明の画像記録媒体は、画像ファイル毎にプリントの受付状況を管理するための受付情報を付帯して、受付済みのものか否かを画像ファイル毎に管理することができるので、撮影途中の記録媒体をプリント注文に出してもどれがプリントしたものであるかや、何度プリントしたものであるかを記録することができる。
【００２３】
　また、画像ファイル毎にプリント注文するためのプリント注文情報が付帯するようにすれば、プリント済みのものか否かとは別に、プリント注文する画像を指定することができる。
【００２４】
　また、画像データを記録する、または、記録媒体を所有する顧客に関する顧客情報を記録媒体に記録するようにして、撮影した顧客を管理することができる。
【００２５】
　本願発明のプリント受付装置は、画像記録媒体から画像データを読み取って、各画像ファイルが受付済みであるか否かを表す受付情報を受付済の状態に書き換えることにより、どれがプリントした画像ファイルであるかや、何度もプリントしたものであるかを記録することができるので、撮影途中の記録媒体であってもプリント注文に出すことができる。
【００２６】
　また、読み取った画像ファイルの受付情報から、画像ファイルがプリントを受付済みのものであるか否かを確認できるようにすれば、間違いなくプリント注文することができる。
【００２７】
　さらに、前記画像記録媒体に記録されている画像データを記録した、または、記録媒体を所有する顧客に関する顧客情報を読み取るようにすれば、顧客にさまざまなサービスを提供したりセールスにつなげることができる。
【発明を実施するための最良の形態】
【００２８】
　以下、本発明の画像データを記録する画像記録媒体について、図面を参照して詳細に説明する。図１は、本発明の画像記録媒体１の構成を示す図である。
【００２９】
　画像記録媒体１には、図１の（ａ）に示すように、デジタルカメラ等で撮影した静止画や動画等の画像データを記録している画像ファイル１０と、各画像ファイル１０に対してプリントの受付状況やプリントの注文状況等を管理するための付帯情報２０を記録する。
【００３０】
　また、画像記録媒体１には画像撮影した、または、記録媒体を所有する顧客の顧客情報３０が記録されていることが好ましい。この顧客情報は、住所・家族氏名・生年月日・メールアドレス・決済方法・使用カメラ・過去の利用サービス履歴（ポストカード、アルバム写真等）・ご利用ポイント・ご利用ラボ店など、生涯セールスにつながるような情報であることが好ましい。さらに、ラボ店で画像記録媒体１を用意して、予め顧客情報３０を記録して顧客に渡すようにしてもよい。
【００３１】
　付帯情報２０は、画像記録媒体１に記録されている画像ファイル１０毎に、プリント注文するか否かを表すプリント注文フラグ２２と、各画像ファイル１０の画像をプリントするためにラボ店で受付済みのものであるか否かや、プリンタやパソコン等でプリントするために読み取られたものであるか否かを表すプリント受付フラグ２３等がある。図１の（ｂ）に、画像ファイル名２１とプリント注文フラグ２２とプリント受付フラグ２３の関係を表す。
【００３２】
　プリント注文フラグ２２は、デジタルカメラ等からプリント注文したい画像ファイル１０の指定ができるものである。例えば、図１に示すように、プリントしたい画像ファイル１０のプリント注文フラグ２２を「１」にし、プリントしない画像ファイル１０は「０」にする。
【００３３】
　また、プリント受付フラグ２３は、ラボ店等でプリントの依頼を受け付ける装置やプリンタやパソコン等のプリント受付装置から、プリントをするために画像ファイル１０を読み取ると受付済みに書き換えられるものである。このプリント受付フラグ２３は、顧客から書き換えられないように管理されることが好ましく、プリント受付装置からのみ書き換え可能なようにすることが望ましい。例えば、ラボ店でユーザから画像記録媒体１を受け取ると、プリント受付装置でプリント注文フラグ２２が「１」の画像ファイル１０を読み出し、ユーザに返却する前に、プリント受付フラグ２３を「１」にし、プリント注文フラグ２２を「０」にする。
【００３４】
　また、ユーザから画像データを受け取った時点で、プリント注文フラグ２２が「１」であり、プリント受付フラグ２３が「１」の画像ファイル１０は、再注文プリントであると判断することができる。このとき、プリント受付装置で画像ファイル１０を読み取るとプリント受付フラグ２３を「２」にし、プリント注文フラグ２２を「０」にするようにして、再注文であることがわかるように管理することもできる。
【００３５】
　以上説明したように、プリント受付フラグ２３と、プリント注文フラグ２２から、各画像ファイル１０は、プリント注文する画像であるか、プリント済みの画像であるか、再注文する画像であるか、過去何枚プリントしたか等のプリントの状況やプリント履歴を記録することができる。
【００３６】
　次に、本発明の画像データのプリント受付をするプリント受付装置について、図面を参照して詳細に説明する。図２は、本発明のプリント受付装置５の構成を示す図である。
【００３７】
　プリント受付装置５は、ラボ店等でプリントの依頼を受け付けるための受付機や、プリンタやパソコン等の画像データがプリント可能な装置で、画像データを記録する画像記録媒体１から画像ファイル１０を読み取る画像データ読取手段５１と、読み取った画像ファイル１０のプリントを受け付けて、画像ファイル１０のプリント受付フラグ２３を受付済の状態に書き換える受付手段５２等で構成される。
【００３８】
　さらに、読み取った画像ファイル１０のプリント受付フラグ２３から、画像ファイル１０のプリントの受付が終わった状態であるか否かを確認することができる受付状況確認手段５３を備えるようにしてもよい。
【００３９】
　画像データ読取手段５１は、スマートメディア、メモリスティックメモリカード等のメモリ型記憶媒体、ＤＶＤ、ＣＤ−ＲＷ等の光記憶媒体等の記録媒体読取書込装置５４で、画像記録媒体１からプリントする画像ファイル１０を読み取る。図１で説明したように、プリントする画像ファイル１０をプリント注文フラグ２２で管理している場合には、プリント注文フラグ２２をみて画像ファイル１０を読み取るようにする。
【００４０】
　また、受付手段５２では、読み取った画像ファイル１０のプリント受付フラグ２３を記録媒体読取書込装置５４で受付済みの状態にする。
【００４１】
　また、受付状況確認手段５３は、画像記録媒体１の画像ファイル１０のプリント受付フラグ２３を読み取って、どの画像ファイル１０が受付済みのものであるかが分かるように表示装置５５に表示するものである。
【００４２】
　そこで、一例として、ユーザがラボ店で画像記録媒体１に記録している画像データを、プリント受付装置５でプリント注文する場合について、図３から図５のフローチャートを用いて説明する。また、プリント受付装置をラボ店に設置されている受付機として説明する。
【００４３】
　まず、図３のフローチャートを用いてラボ店での画像記録媒体１からプリントする画像ファイル１０の受付けをする処理について説明する。店員またはユーザがラボ店の受付機５にユーザの画像記録媒体１を挿入する（Ｓ１００）。そこで、画像記録媒体１に記録されている顧客情報３０を読み出し（Ｓ１０１）、画像記録媒体１に記録されている画像ファイル１０のプリント注文フラグ２２を参照して、今回注文する画像ファイル１０を全て読み取る（Ｓ１０２）。
【００４４】
　次に、今回注文する画像ファイル１０を受付機５の表示装置５５の画面上に表示して（Ｓ１０３）、プリントＯＫかＮＧかを確認する（Ｓ１０４）。受付機５の画面上に今回注文する画像データを表示すると、デジタルカメラのＬＣＤ（反射型カラー液晶ディスプレイ）の小さい画面では確認できなったピンボケや不適正画面が見つかる場合がある。そこで、顧客情報読取手段で、画面上に表示した画像データの色味・シャープネス・ハイパートーン等の画質をユーザの好みで調整できるような機能を受付機５に備えるようにする方が好ましい。
【００４５】
　画面上に表示した画像がＮＧの場合には（Ｓ１０５）、プリントする画像ファイル１０の画像データの指定を修正するために修正処理を行い（Ｓ１０６）、再度、プリントする画像データを画面に表示してプリントするか否かを確認して、ＯＫであれば（Ｓ１０７）、注文処理（Ｓ１０８）をする。ＮＧであれば（Ｓ１０５）、再度修正処理をする（Ｓ１０６）。
【００４６】
　そこで、修正処理について図４のフローチャートを用いて説明する。修正処理では今回注文する画像ファイル１０を一つずつ表示して、対象画像ファイル１０を注文するか否かを問い合わせる（Ｓ１１０）。必要のない画像ファイル１０は受付機５から削除して（Ｓ１１１）、注文する画像ファイル１０のみを残すようにして、注文する画像ファイル１０を決めていく（Ｓ１１２）。さらに、次の画像ファイル１０に進めて（Ｓ１１３）、全ての画像ファイル１０について確認が終わると終了する（Ｓ１１４）。
【００４７】
　また、注文処理について図５のフローチャートを用いて説明する。注文処理では、今回注文する画像ファイル１０を確定して（Ｓ１２０）、受け付けた画像ファイル１０のプリント受付フラグ２３を受付済みにし（Ｓ１２１）、さらに、画像ファイル１０の画像データに対して仕上がりアドバイス処理をする（Ｓ１２２）。そこで、受け付けた画像ファイル１０のプリント予定等をスケージューリングして（Ｓ１２３）、店頭受取の場合には、顧客情報３０から受取ラボ店と仕上がり日を表示し、宅配希望の場合には、送付先住所と到着日を表示する（Ｓ１２４）。ユーザは表示された受け取り方法を確認して（Ｓ１２５）、必要に応じて、受取方法または送付先を修正する（Ｓ１２６）。
【００４８】
　受取方法に問題がなければ、利用履歴を画像記録媒体１に記録して受付機５から画像記録媒体１を排出し（Ｓ１２７）、受注票を発行して終了する（Ｓ１２８）。
【００４９】
　次に、ユーザがラボ店で過去注文を行った画像ファイル１０が記録されている画像記録媒体１を受付機でプリント注文する場合について、図６のフローチャートを用いて説明する。
【００５０】
　Ｓ１００からＳ１０２までの処理は、図４で説明したものと同様にして、今回注文する画像ファイル１０を画像記録媒体１から読み取る。
【００５１】
　そこで、今回注文する画像ファイル１０を受付機５の表示装置５５の画面上に表示する（Ｓ１０３）。そこで、プリントする画像ファイル１０のプリント受付フラグ２３を参照して、過去注文されたことがあるものであれば、過去に注文のあった画像ファイル１０を全て表示して、「今回の注文分に過去の注文分が含まれていますが続行しますか？」等の確認メッセージを表示する（Ｓ１３４）。
【００５２】
　そこで、画面上に表示した画像ファイル１０のうち注文しないものがある場合には、例えば、「表示」ボタンを押して（Ｓ１３５）、重複するプリントする各画像ファイル１０を画面に表示して（Ｓ１３６）、確認処理をする（Ｓ１３７）。ＯＫであれば（Ｓ１３８）、注文処理をする（Ｓ１３９）。
【００５３】
　そこで、確認処理について図７のフローチャートを用いて説明する。確認処理では今回注文する画像ファイル１０を一つずつ表示して、重複画像を再注文するか否かを問い合わせる（Ｓ１４０）。必要のない画像ファイル１０は削除して（Ｓ１４１）、注文する画像ファイル１０を決めていく（Ｓ１４２）。さらに、次の画像ファイル１０に進めて（Ｓ１４３）、全ての画像ファイル１０について確認が終わると終了する（Ｓ１４４）。
【００５４】
　注文処理は、図５のフローチャートで説明したものと同様に行うが、その際プリント受付フラグ２３は、例えば、「２」にするなど再注文であることがわかるような情報であることが望ましい。
【００５５】
　さらに、スマートメディア等の携帯型の画像記録媒体１から、ＣＤ−ＲＷ等の大容量の画像記録媒体１に移して整理する場合について、図８と図９のフローチャートを用いて説明する。ここでは、スマートメディア等の携帯型の画像記録媒体を単に記録媒体とし、大容量の画像記録媒体をＣＤ−ＲＷとして説明する。
【００５６】
　まず、図８のフローチャートに基づいて説明する。記録媒体から顧客情報３０を読み出し（Ｓ１５０）、記録媒体に記録されている画像ファイル１０を全てＣＤ−ＲＷ化するか否かを問い合わせる（Ｓ１５１）。全てＣＤ−ＲＷ化する場合には（Ｓ１５２）、全ての画像ファイル１０を読み出して（Ｓ１５３）、ＣＤ−ＲＷに記録する（Ｓ１５４）。全てＣＤ−ＲＷ化しない場合でも、過去注文したものに関しては全てＣＤ−ＲＷに記録する。そこで、各画像ファイル１０のプリント受付フラグ２３を確認して、過去注文がなかった画像ファイル１０を読み出し（Ｓ１５５）、編集処理をする（Ｓ１５６）。
【００５７】
　そこで、編集処理について図９を用いて説明する。編集処理では、過去注文がなかった画像ファイル１０を表示して（Ｓ１６０）、ＣＤ−ＲＷ化するか否かを確認する（Ｓ１６１）。ＣＤ−ＲＷ化する必要のない画像ファイル１０は削除して（Ｓ１６２）、次の画像ファイル１０を表示する（Ｓ１６３）。
【００５８】
　ＣＤ−ＲＷ化する場合には（Ｓ１６１）、例えば、「ＯＫ」ボタンを押して（ＳＳ１６４）、次の画像ファイル１０の確認をする（Ｓ１６５）。全ての画像ファイル１０の確認が終わると（Ｓ１６６）、過去注文のあった画像ファイル１０と、選択した画像ファイル１０をＣＤ−ＲＷに記録して終了する（Ｓ１６７）。
【００５９】
　このとき、ＣＤ−ＲＷに記録する場合には、過去注文しなかった画像ファイル１０は将来プリント注文する可能性が低いため、過去プリント注文した画像ファイル１０と未注文の画像ファイル１０が分かるように、例えば、別のフォルダに記録する方が好ましい。
【００６０】
　次に、図１０を用いて、ＣＤ−ＲＷに記録した画像ファイル１０の印刷注文をする場合について説明する。
【００６１】
　まず、ラボ店に設置されている受付機５にユーザのＣＤ−ＲＷを挿入する（Ｓ１７０）。そこで、プリント受付フラグ２３で過去プリント注文があったものと、未注文の画像ファイル１０とに分けて読み出し（Ｓ１７１）、まず、過去プリント注文のあった画像ファイル１０を表示して（Ｓ１７２）、プリント注文したい画像ファイル１０があるか否かを確認する（Ｓ１７３）。プリント注文したい画像ファイル１０がある場合には、その全ての画像ファイル１０のプリント注文フラグ２２を「１」にする（Ｓ１７４）。
【００６２】
　過去プリント注文のあった画像ファイル１０に注文したい画像ファイルがない場合には、過去プリント注文されていない画像ファイル１０を表示して（Ｓ１７５）、プリント注文したい画像ファイル１０がある場合には、その全ての画像ファイル１０のプリント注文フラグ２２を「１」にする（Ｓ１７６）。
【００６３】
　そこで、今回注文する画像ファイル１０を確認して（Ｓ１７７）、ＮＧの場合には（Ｓ１８０）、修正処理（図４参照）をする（Ｓ１８１）。ＯＫの場合には（Ｓ１７８）、注文処理（図５参照）をする（Ｓ１７９）。
【００６４】
　以上説明したように、過去にプリント注文があった画像ファイルであるか否かを管理することにより、プリントの再注文であるか否かを確認したり、注文の履歴を管理することができる。このため、画像記録媒体を撮影の途中でプリントに出すことができる。
【図面の簡単な説明】
【００６５】
【図１】画像記録媒体の構成を説明する図
【図２】プリント受付装置の構成を説明する図
【図３】ラボ店での受付処理を説明するためのフローチャート（その１）
【図４】修正処理を説明するためのフローチャート
【図５】注文処理を説明するためのフローチャート
【図６】ラボ店での受付処理を説明するためのフローチャート（その２）
【図７】確認処理を説明するためのフローチャート
【図８】ラボ店で記録媒体をＣＤ−ＲＷ化する処理を説明するためのフローチャート
【図９】編集処理を説明するためのフローチャート
【図１０】ＣＤ−ＲＷから再注文を説明するためのフローチャート
【符号の説明】
【００６６】
　　　１　画像記録媒体
　　　５　プリント受付装置
　　　10　画像ファイル
　　　20　付帯情報
　　　21　画像ファイル名
　　　22　プリント注文フラグ
　　　23　プリント受付フラグ
　　　30　顧客情報
　　　51　画像データ読取手段
　　　52　受付手段
　　　53　受付状況確認手段
　　　54　記録媒体読取書込装置
　　　55　表示装置
【図１】
2004145872.tif 000003
【図２】
2004145872.tif 000004
【図３】
2004145872.tif 000005
【図４】
2004145872.tif 000006
【図５】
2004145872.tif 000007
【図６】
2004145872.tif 000008
【図７】
2004145872.tif 000009
【図８】
2004145872.tif 000010
【図９】
2004145872.tif 000011
【図１０】
2004145872.tif 000012